(57)【要約】【課題】ハンディ型カメラのカメラ本体を容易に着脱でき、着脱操作も容易なカメラ拡張装置を提供する。【解決手段】カメラ拡張装置１のカメラ装着部３の前側にカメラ本体前部を着脱可能に固定する前側ロック部１０と、カメラ装着部３の後側にカメラ本体後部を着脱可能に固定する後側ロック部２０とを備え、前側ロック部１０が、接近方向又は離間方向にスライド移動可能な一対のロックプレート１３Ａ，１３Ｂを備え、カメラ本体前面の光学マウント部両側に設けた一対のフロントプレートに、ロックプレート１３Ａ，１３Ｂを接近方向にスライド移動させて係合させてカメラ本体前部をカメラ装着部３に固定し、後側ロック部２０が、カメラ本体側コネクタ部とカメラ拡張装置側コネクタ部との接続動作と連携してカメラ本体後部をカメラ装着部３に固定する。【選択図】図１
2014095785.tif 000002
【特許請求の範囲】
【請求項１】
ハンディ型カメラのカメラ本体を装着するカメラ装着部と、前記カメラ本体とコネクタにより電気的に接続するカメラ操作部と、を備え、前記ハンディ型カメラを、その機能を拡張して大型カメラとして使用可能にするカメラ拡張装置において、
前記カメラ装着部の前側に前記カメラ本体の前部を着脱可能に固定する前側ロック部と、
前記カメラ装着部の後側に前記カメラ本体の後部を着脱可能に固定する後側ロック部と、
を備え、
前記前側ロック部が、互いに対向して配置されて接近方向又は離間方向にスライド移動可能な一対の係合部材を備え、前記カメラ本体の前面の光学マウント部の両側に設けた一対の被係合部材に、前記一対の係合部材を互いに接近方向にスライド移動させて係合させることによって、前記カメラ本体の前部を前記カメラ装着部に固定する構成であり、
前記後側ロック部が、カメラ本体側コネクタ部とカメラ拡張装置側コネクタ部からなる前記コネクタの接続動作と連携して前記カメラ本体の後部を前記カメラ装着部に固定する構成であることを特徴とするカメラ拡張装置。
【請求項２】
前記前側ロック部は、
前記カメラ装着部の前側に立設したロック部本体と、
該ロック部本体に互いに対向してスライド可能に設けられた前記一対の係合部材と、
該一対の係合部材を接近方向又は離間方向に互いに連動してスライド移動させるラック・アンド・ピニオンと、
該ラック・アンド・ピニオンを介して前記一対の係合部材を、互いに接近して前記一対の被係合部材に係合するカメラ本体ロック位置と互いに離間して前記一対の被係合部材との係合を解除するカメラ本体ロック解除位置とに移動操作する操作レバーと、
を備えて構成した請求項１に記載のカメラ拡張装置。
【請求項３】
前記一対の被係合部材と前記一対の係合部材の各先端部に、それぞれテーパー部を形成し、前記一対の係合部材を接近方向にスライド移動して前記一対の被係合部材に係合させたときに、前記一対の係合部材の移動に伴って当該一対の係合部材のテーパー部が前記一対の被係合部材のテーパー部を押圧して前記カメラ本体を前方側に移動させる構成とした請求項１又は２に記載のカメラ拡張装置。
【請求項４】
前記後側ロック部は、
前記カメラ拡張装置側コネクタ部を保持し、前記カメラ装着部に前後方向にスライド可能に設けられたコネクタ保持部と、
該コネクタ保持部に軸支され、前記コネクタ保持部に形成したガイド溝に沿って回動可能な操作レバーと、
前記コネクタ保持部に当該コネクタ保持部のスライド方向に貫通形成された貫通孔と、
前記カメラ装着部の後端部に突設されてその先端部が前記貫通孔に突入する第１のピンと、
前記操作レバーにスライド可能に突設されて操作レバーの略水平位置においてその先端部が前記第１のピンと対向して前記貫通孔に突入する第２のピンと、
を備え、
前記水平位置にある前記操作レバーを把持して前記コネクタ保持部を前記カメラ本体側コネクタ部の方向にスライド移動させたとき、前記第１のピンの先端部が前記第２のピンの先端部に当接して押圧し、前記第２のピンが前記貫通孔から押出されて前記ガイド溝に嵌合し、前記第２のピンを介して前記操作レバーを前記ガイド溝に沿って前記水平位置から下方向に所定角度位置まで回動し、前記カメラ拡張装置側コネクタ部を前記カメラ本体側コネクタ部に接続すると共に、前記カメラ本体の後部をカメラ装着部に固定する構成とした請求項１〜３のいずれか１つに記載のカメラ拡張装置。
【請求項５】
前記後側ロック部は、前記操作レバーが前記所定角度位置まで回動したときに、前記コネクタ保持部に形成した嵌合穴に、前記第２のピン先端部が突入して前記操作レバーを前記所定角度位置にロックする構成である請求項４に記載のカメラ拡張装置。
【発明の詳細な説明】
【技術分野】
【０００１】
本発明は、ハンディ型カメラのカメラ本体と大型レンズとを装着して大型カメラとして利用するためのカメラ拡張装置に関し、特に、カメラ本体の装着機構に関する。
【背景技術】
【０００２】
従来、ハンディ型カメラのカメラ本体と大型の箱形レンズとを装着し、ハンディ型カメラを、その機能を拡張してテレビスタジオ等で利用するスタジオカメラとして使用するため、例えば、特許文献１に記載されているようなカメラ拡張装置がある。かかるカメラ拡張装置にハンディ型カメラのカメラ本体を装着する場合、カメラ拡張装置に大型の箱型レンズを装着し、その後にカメラ本体を箱型レンズに接続する。そして、従来、カメラ本体と箱型レンズとの結合は、特許文献１に記載されているようにバヨネット方式を採用している。
【先行技術文献】
【特許文献】
【０００３】
【特許文献１】特開２００５−１４８３３０号公報
【発明の概要】
【発明が解決しようとする課題】
【０００４】
しかしながら、カメラ拡張装置の場合、箱型レンズを装着した後に、重いカメラ本体を結合させることになるため、カメラ本体が片寄った状態でレンズに結合させる虞れがある。このような場合、従来のバヨネット方式では、カメラ本体とレンズとが強固に噛み合ってしまう。また、カメラ本体の装着部に傾き（例えば、カメラ本体の装着部の後部が下がっている等）があったりした場合も同様である。このようにカメラ本体とレンズとが強固に噛み合ってしまうと、カメラ本体を容易に外せなくなってしまうという問題があった。
【０００５】
本発明は上記問題点に着目してなされたもので、カメラ本体を容易に着脱でき、着脱操作も容易なカメラ拡張装置を提供することを目的とする。
【課題を解決するための手段】
【０００６】
このため、本発明は、ハンディ型カメラのカメラ本体を装着するカメラ装着部と、前記カメラ本体とコネクタにより電気的に接続するカメラ操作部と、を備え、前記ハンディ型カメラを、その機能を拡張して大型カメラとして使用可能にするカメラ拡張装置において、前記カメラ装着部の前側に前記カメラ本体の前部を着脱可能に固定する前側ロック部と、前記カメラ装着部の後側に前記カメラ本体の後部を着脱可能に固定する後側ロック部と、を備え、前記前側ロック部が、互いに対向して配置されて接近方向又は離間方向にスライド移動可能な一対の係合部材を備え、前記カメラ本体の前面の光学マウント部の両側に設けた一対の被係合部材に、前記一対の係合部材を互いに接近方向にスライド移動させて係合させることによって、前記カメラ本体の前部を前記カメラ装着部に固定する構成であり、前記後側ロック部が、カメラ本体側コネクタ部とカメラ拡張装置側コネクタ部からなる前記コネクタの接続動作と連携して前記カメラ本体の後部を前記カメラ装着部に固定する構成であることを特徴とする。
【発明の効果】
【０００７】
本発明のカメラ拡張装置によれば、カメラ拡張装置へのカメラ本体前部の固定を、互いに対向配置して接近方向又は離間方向にスライド移動可能な一対の係合部材とカメラ本体側に設けた一対の被係合部材との係合により行うので、従来のバヨネット方式のようにカメラ本体の片寄り等に起因してカメラ本体とレンズとが外れなくなるという問題を回避できる。また、一対の係合部材をスライド操作するだけでカメラ本体の固定及び取り外しができるので、カメラ本体の着脱作業が容易である。更に、カメラ本体後部を、カメラ本体とカメラ拡張装置とのコネクト部の接続動作と連携させて行うので、ハンディ型カメラを、カメラ拡張装置を用いて大型のスタジオカメラとして使用する際の組立て作業の効率化を図ることができる。
【図面の簡単な説明】
【０００８】
【図１】本発明のカメラ拡張装置の一実施形態をカメラ拡張装置後側から見た斜視図である。
【図２】図１のカメラ拡張装置をカメラ拡張装置前側から見た斜視図である。
【図３】カメラ本体非ロック状態にある前側ロック部のレンズ側から見た図である。
【図４】図３中のＸ−Ｘ線矢視断面図である。
【図５】カメラ本体ロック状態にある前側ロック部のレンズ側から見た図である。
【図６】図５中のＹ−Ｙ線矢視断面図である。
【図７】操作レバーの構成を示し、（Ａ）は操作レバーのロック時の状態を示す図であり、（Ｂ）は操作レバーの非ロック時の状態を示す図である。
【図８】後側ロック部の平面図である。
【図９】図８の右側面図である。
【図１０】後側ロック部の動作説明図である。
【図１１】図１０に続く後側ロック部の動作説明図である。
【発明を実施するための形態】
【０００９】
以下、本発明の実施形態を図面に基づいて説明する。
図１及び図２に、本発明に係るカメラ拡張装置の一実施形態の斜視図を示す。図１はカメラ拡張装置の後側（カメラ操作者側）から見た斜視図であり、図２はカメラ拡張装置の前側（レンズ側）から見た斜視図である。
図において、本実施形態のカメラ拡張装置１は、ハンディ型カメラのカメラ本体２（図３及び図５に図示）を装着するためのカメラ装着部３と、カメラ装着部３の前方に設けられ大型の箱型レンズ（図示せず）を装着するためのレンズ装着部４と、が設けられている。また、カメラ装着部３の後部の両側には、カメラ本体２側とコネクタを介して電気的に接続することにより、カメラ本体２やビューファインダ（図示せず）等を操作するためのカメラ操作部５Ａ，５Ｂが配置されている。
【００１０】
カメラ操作者側から見て右側のカメラ操作部５Ａの側部には、軸線方向がカメラ拡張装置１の前後方向と略平行な回動軸６が設けられ、この回動軸６にアーム７の一端が回動可能に取付けられている。前記アーム７の他端には、ビューファインダのパン・チルト機構（図示せず）が装着されるビューファインダマウント８の一端が回動可能に軸支されている。ビューファインダマウント８は、カメラ操作部５Ａの上面に、スライド可能且つ回動可能に係合支持されている。他方のカメラ操作部５Ｂの上面には、ビューファインダマウント８の他端を係止固定可能なマウントロック部９が設けられている。図示しないが、前記マウントロック部９は、ビューファインダマウント８の他端側に設けた係止ピンを係止可能なフック部を有し、ビューファインダマウント８の他端の係合ピンが前記フック部に係合して固定され、マウントロック部９の操作ボタン９ａ（図２に図示）を押すことにより、フック部と係合ピンとの係合が解除されてビューファインダマウント８の他端のロックが解除される構成となっている。他端が開放されたビューファインダマウント８を、図１の右方向に回動させつつスライドさせることにより、両カメラ操作部５Ａ，５Ｂ間の空間部上方を開放することができる。カメラ拡張装置１に対してカメラ本体２を着脱する場合には、前述のようにしてカメラ操作部５Ａ，５Ｂ間の空間部の上方を開放した状態で、前記空間部を通してカメラ本体２をカメラ拡張装置１のカメラ装着部３に対して着脱すればよい。このため、カメラ本体に電源供給用等のケーブルを接続したままで、カメラ本体２をカメラ拡張装置１に対して着脱することができる。
【００１１】
尚、ビューファインダマウント８には、図示しないが、ビューファインダをパン方向（水平方向）及びチルト方向（垂直方向）に回動操作可能なパン・チルト機構が設けられる。
【００１２】
カメラ装着部３の前部には、カメラ本体２の前部をカメラ拡張装置１に着脱可能に固定する前側ロック部１０が設けられ、カメラ装着部３の後部中央部には、後述するカメラ本体２の後部を着脱可能に固定する後側ロック部２０が設けられている。
【００１３】
図３〜図６を用いて本実施形態の前側ロック部１０の構成について説明する。
図３はカメラ本体非ロック状態にある前側ロック部のレンズ側から見た図を示し、図４は図３中のＸ−Ｘ線矢視断面図を示し、図５はカメラ本体ロック状態にある前側ロック部のレンズ側から見た図を示し、図６は図５中のＹ−Ｙ線矢視断面図を示す。尚、図３〜図６はレンズマウントのない状態を示している。
前側ロック部１０は、カメラ装着部３の前端部に立設したロック部本体１１を備える。このロック部本体１１の前面側（レンズ装着部４側）には、レンズ装着部４に載置する大型の箱型レンズ（図示せず）を取付けるためのレンズマウント１２が、図２に示すように設けられ、レンズマウント１２中央部に設けた略円形状の開口部１２ａを通して箱型レンズ側の光学マウント部がカメラ装着部３側に突出するように、レンズ装着部４に箱形レンズが装着される。
【００１４】
前記ロック部本体１１には、互いに対向して配置されて接近方向又は離間方向にスライド移動可能な一対の係合部材としてロックプレート１３Ａ，１３Ｂが設けられている。このロックプレート１３Ａ、１３Ｂは、接近方向にスライドさせた時に、カメラ本体２の前面の光学マウント部２Ａの両側に設けた一対の被係合部材としてのフロントプレート１４Ａ，１４Ｂに係合して、カメラ本体２の前部をカメラ装着部３に固定すると共に、カメラ本体２の光学マウント部２Ａと箱型レンズの光学マウント部を結合させる。
【００１５】
前記一対のロックプレート１３Ａ，１３Ｂは、スライドブロック１５Ａ，１５Ｂ内に移動可能に保持され、スライドブロック１５Ａ，１５Ｂ内には、ロックプレート１３Ａ，１３Ｂをフロントプレート１４Ａ，１４Ｂ方向に弾性付勢するコイルスプリング１６Ａ，１６Ｂが設けられている。また、前記ロックプレート１３Ａ，１３Ｂは、先端部にテーパー部１３ａ，１３ｂが形成されている。また、フロントプレート１４Ａ，１４Ｂの先端部にも、ロックプレート１３Ａ，１３Ｂのテーパー部１３ａ，１３ｂと対面するようにテーパー部１４ａ，１４ｂが形成されている。
【００１６】
前記スライドブロック１５Ａ，１５Ｂは、ラック・アンド・ピニオン１７によってスライド移動する。具体的には、一方のスライドブロック１５Ａは、ロック部本体１１に移動可能に支持された長さの長い上側ラック１７ａに結合され、他方のスライドブロック１５Ｂは、同じくロック部本体１１に移動可能に支持された長さの短い下側ラック１７ｂに結合されている。ロック部本体１１の一方の端部側（図３で右側）に、ピニオンギア１７ｃが上側ラック１７ａと下側ラック１７ｂとに噛み合って設けられている。前記ピニオンギア１７ｃは、ロック部本体１１のカメラ装着部３側に配置した操作レバー１８に連結されており、操作レバー１８と一体に回動する。
【００１７】
前記操作レバー１８は、図７に示すように、ロック解除ボタン１８ａと、ロックピン１８ｂと、ロックピン１８ｂをレバー本体外部に突出させる方向に弾性付勢するコイルスプリング１８ｃと、レバー本体内に回動可能に軸支された回動部材１８ｄと、ロック解除ボタン１８ａの復帰用スプリング１８ｅと、を備える。この操作レバー１８は、図３に示すようにカメラ拡張装置１の側方に向いたカメラ本体ロック解除位置にあるときは、ロックピン１８ｂ先端がコイルスプリング１８ｃの弾性力に抗してロック部本体１１のカメラ装着部３側の面に接触している。この状態から図３中時計方向に操作レバー１８を略９０度カメラ本体ロック位置（図１及び図２に示す位置）まで回動すると、図７（Ａ）に示すようにコイルスプリング１８ｃの弾性力によってロックピン１８ｂ先端部がレバー本体外部に突出し、ロック部本体１１側に設けた嵌合穴（図示せず）に嵌合して操作レバー１８がロックされる。これにより、前側ロック部１０がカメラ本体ロック状態となる。操作レバー１８のロックを解除する場合は、図７（Ｂ）に示すようにロック解除ボタン１８ａを押すことによりロックピン１８ｂ基端部の鍔部１８ｆに係合する回動部材１８ｄが回動し、ロックピン１８ｂをレバー本体内部に没入させて嵌合穴から抜け出させて操作レバー１８のロック状態を解除し、この状態で操作レバー１８を図３に示すカメラ拡張装置１の側方に向いたカメラ本体ロック解除位置まで回動すればよい。これにより、前側ロック部１０がカメラ本体非ロック状態となる。
【００１８】
次に、カメラ装着部３の後部中央部に設けた前述の後側ロック部２０について説明する。
図８は、後側ロック部２０の上面図を示し、図９は図８の右側面図を示す。
後側ロック部２０は、図８及び図９に示すように、カメラ拡張装置側コネクタ部２１を保持し、カメラ拡張装置１の前後方向（図中矢印方向）にスライド可能にカメラ装着部３に設けられたコネクタ保持部２２と、このコネクタ保持部２２後部の両側で軸支され、コネクタ保持部２２に形成したガイド溝２２ａ（図１０に図示）に沿って回動可能な操作レバー２３と、を備える。また、図１０に示すように、コネクタ保持部２２に当該コネクタ保持部２２のスライド方向に貫通形成された貫通孔２４と、カメラ装着部３の後端部に突設されてその先端部が貫通孔２４に突入する第１のピン２５と、操作レバー２３にスライド可能に突設されて操作レバー２３の略水平位置においてその先端部が第１のピン２５と対向して貫通孔２４に突入する第２のピン２６と、を備える。
【００１９】
操作レバー２３には、スプリング２７に抗して第２のピン２６を操作レバー２３方向にスライド操作するためのロック解除ボタン２８が設けられている。また、コネクタ保持部２２には、操作レバー２３をガイド溝２２ａに沿って下方向に所定角度位置（本実施形態では操作レバー２３を水平位置から下方向に略９０度回動した位置）まで回動したときに第２のピン２６先端部が嵌合可能な嵌合穴２２ｂが図１０に示すように形成されている。
【００２０】
次に、本実施形態のカメラ拡張装置１におけるカメラ本体の着脱動作を説明する。
まず、前側ロック部１０によるカメラ本体前側の固定動作を説明する。
カメラ拡張装置１のレンズ装着部４に大型の箱型レンズを取付ける。その後、ビューファインダマウント８を操作して両カメラ操作部５Ａ，５Ｂ間の空間部の上方を開放し、ハンディ型カメラのカメラ本体２を前記空間部からカメラ装着部３に挿入して所定の位置に載置する。この際、レンズ側の光学マウント部とカメラ本体側の光学マウント部の嵌め合い部を合わせるように（例えば、一方に設けた嵌合突起と他方に設けた嵌合穴とを嵌合させるように）、カメラ本体２の位置を調整しながら挿入して所定の位置に載置する。これにより、光軸が調整される。その後、操作レバー１８を下方向に略９０度、ロックピン１８ｂがロック部本体１１側の嵌合穴に嵌合して嵌合音がするまで回動操作する。この際、この操作レバー１８の回動操作に伴って、ピニオンギア１７ｃが回動して上側ラック１７ａと下側ラック１７ｂが互いに反対方向に移動し、ロックプレート１３Ａ，１３Ｂが互いに接近する方向に移動してフロントプレート１４Ａ，１４Ｂに係合する。そして、ロックプレート１３Ａ，１３Ｂ側のテーパー部１３ａ，１３ｂとフロントプレート１４Ａ，１４Ｂ側のテーパー部１４ａ，１４ｂとの係合により、カメラ本体２がレンズ方向に移動し、互いの光学マウントの嵌め合い部の嵌め合いが完了してカメラ本体２の前部がカメラ装着部３前側に固定される。
【００２１】
カメラ本体２をカメラ装着部３から取り外す場合は、上述の固定動作時と逆の手順で行えばよい。簡単に説明すると、操作レバー１８のロック解除ボタン１８ａを復帰用スプリング１８ｅの弾性力に抗して押し、ロックピンによるロックを解除して操作レバー１８を固定時とは逆方向に上方向に略９０度、カメラ本体ロック解除位置まで回動させればよい。これにより、ロックプレート１３Ａ，１３Ｂが互いに離間する方向に移動してフロントプレート１４Ａ，１４Ｂから離脱してカメラ本体２を取り出せる状態となる。
【００２２】
かかる前側ロック部１０の構成によれば、従来のバヨネット方式のようにカメラ本体の片寄り等に起因してカメラ本体とレンズとが外れなくなるという問題を回避できる。また、操作レバー１８の回動操作だけでカメラ本体の固定及び取り外しができるので、カメラ本体の着脱作業が容易である。また、万が一、操作レバー１８側から過度の力が作用して両ラック１７ａ，１７ｂが移動し過ぎたとしても、コイルスプリング１６Ａ，１６Ｂが吸収してロックプレート１３Ａ，１３Ｂに過剰な力が作用しない。このため、ロックプレート１３Ａ，１３Ｂとフロントプレート１４Ａ，１４Ｂとを常に適切な係合力で係合させることができる。
【００２３】
次に、後側ロック部２０によるカメラ本体後部の固定動作を、図１０及び図１１を参照しながら説明する。
前述のようにして前側ロック部１０によってカメラ本体２の前部を固定した状態で、後側ロック部２０によりカメラ本体２の後部を固定する。図１０の（Ａ）図は固定動作開始前の状態を示している。この状態では、カメラ装着部３側に設けた第１のピン２５先端部と操作レバー２３側の第２のピン２６先端部が共に、コネクタ保持部２２貫通孔２４に突入しており、操作レバー２３は略水平状態にある。この状態から、操作レバー２３を把持して（Ａ）図中の矢印Ａ方向（カメラ装着部方向）に操作レバー２３を押してコネクタ保持部２２を止まる位置までスライドさせる。これにより、コネクタ保持部２２に保持されたカメラ拡張装置側コネクタ部２１がカメラ本体２後端の下部に設けられているカメラ本体側コネクタ部と接続される。コネクタ保持部２２を止まる位置までスライドさせると、コネクタ保持部２２の移動に伴って第１のピン２５によって第２のピン２６が（Ｂ）図に示すように貫通孔２４から押出される。この状態で第２のピン２６先端部が係合するガイド溝２２ａに沿って、（Ｂ）図中の矢印Ｂ方向（下方向）に所定角度位置（本実施形態では下方向に略９０度回動した位置）まで操作レバー２３を回動させる。（Ｃ）図は、操作レバー２３を所定角度位置まで回動させる途中の状態を示している。操作レバー２３を所定角度位置まで回動させると、図１１の（Ｄ）図に示すように、第２のピン２６がコネクタ保持部２２に形成した嵌合穴２２ｂと対向するようになる。第２のピン２６が嵌合穴２２ｂと対向すると、スプリング２７の弾性復帰力により図１１の（Ｅ）図に示すように第２のピン２６先端部が嵌合穴２２ｂに自動的に突入し、操作レバー２３をロックする。これにより、コネクタ保持部２２も固定されるので、カメラ本体２の後部が、コネクタの接続動作と連携してカメラ装着部３に固定される。
【００２４】
カメラ本体２の後部のロックを解除する場合は、ロック解除ボタン２８を図１１の（Ｅ）図中の矢印Ｃ方向（下方向）にスプリング２７の弾性力に抗して押し、第２のピン２６を下方向に移動させて図１１の（Ｅ）図に示すように嵌合穴２２ｂから抜き出す。その後、固定動作時と逆の手順で、操作レバー２３をコネクタ保持部２２と上方向に略平行な位置まで回動すればよい。これにより、コネクタ保持部２２は、反カメラ装着部３方向にスライド移動し、カメラ拡張装置側コネクタ部２１がカメラ本体側コネクタ部とのコネクタ接続が外れてカメラ本体２後部のロックが外れると共に、スプリング２７の弾性力で第２のピン２６先端部が貫通孔２４に自動的に突入して操作レバー２３が水平位置（図１０の（Ａ）図の位置）にロックされる。
【００２５】
かかる後側ロック部２０の構成によれば、カメラ本体後部の固定及び取り外し動作と同時に、カメラ本体とカメラ拡張装置とのコネクトによる電気的な接続及びコネクタの取り外しも行うことができる。また、略操作レバーの操作だけの１アクションに近い操作で、カメラ本体後部の固定及び取り外し作業ができる。従って、ハンディ型カメラを、カメラ拡張装置を用いて大型のスタジオカメラとして使用する際の組立て作業の効率化を図ることができる。また、細かい部品で構成されて操作しづらく壊れ易い傾向にあった従来のカメラ本体後部固定機構と比べて、構成部品が少なく操作が容易で壊れ難い。
【００２６】
以上、本発明の好ましい実施形態を説明したが、本発明は上記実施形態に制限されるものではなく、本発明の技術的思想に基づいて種々の変形及び変更が可能である。
【符号の説明】
【００２７】
１…カメラ拡張装置、２…カメラ本体、３…カメラ装着部、４…レンズ装着部、５Ａ，５Ｂ…カメラ操作部、１０…前側ロック部、１１…ロック部本体、１３Ａ，１３Ｂ…ロックプレー、１３ａ，１３ｂ…テーパー部、１４Ａ，１４Ｂ…フロントプレート、１４ａ，１４ｂ…テーパー部、１７…ラック・アンド・ピニオン、１７ａ…上側ラック、１７ｂ…下側ラック、１７ｃ…ピニオンギア、１８…操作レバー、２０…後側ロック部、２１…カメラ拡張装置側コネクタ部、２２…コネクタ保持部、２２ａ…ガイド溝、２３…操作レバー、２４…貫通孔、２５…第１のピン、２６…第２のピン
【図１】
2014095785.tif 000003
【図２】
2014095785.tif 000004
【図３】
2014095785.tif 000005
【図４】
2014095785.tif 000006
【図５】
2014095785.tif 000007
【図６】
2014095785.tif 000008
【図７】
2014095785.tif 000009
【図８】
2014095785.tif 000010
【図９】
2014095785.tif 000011
【図１０】
2014095785.tif 000012
【図１１】
2014095785.tif 000013